(57)【要約】【課題】入力用の上基板の表面に指紋等の油脂や、水分が付着し、入力画面が汚染されることを防止し、画面の視認性、操作性に優れたタッチパネルを提供する。【解決手段】透明絶縁基板１ａ、１１ａの片面に透明電極１ｂ、１１ｂを設けた一対の上下基板１１、１を透明電極側を内側にしてシール剤８を介して対向配置してなるタッチパネル１０において、上基板１１の外側に弗素樹脂からなる保護被膜２１を配置したことを特徴とする。【選択図】      図１
2005018115.tif 000002
【特許請求の範囲】
【請求項１】
透明絶縁基板の片面に透明電極を設けた一対の上下基板を前記透明電極側を内側にしてシール剤を介して対向配置してなるタッチパネルにおいて、前記上基板の外側に弗素樹脂からなる保護被膜を配置したことを特徴とするタッチパネル。
【請求項２】
前記上基板と前記保護被膜との間に偏光板が配置されていることを特徴とする請求項１記載のタッチパネル。
【発明の詳細な説明】
【０００１】
【発明の属する技術分野】
本発明は、コンピュータ、各種端末機、自動販売機、ＡＴＭ等の機器において、液晶ディスプレイやブラウン管等の画面上に配置し、透視した画面の指示に従って使用者が情報の表示画面を指やペン等で直接押してデータの入カが行われるタッチパネルに関し、特に画像視認性に優れるタッチパネルに関する。
【０００２】
【従来の技術】
従来技術におけるタッチパネルは、可撓性を有する透明絶縁基板とその下面に形成された透明電極とからなる上基板と、透明絶縁基板とその上面に形成された透明電極とからなる下基板とが、所定の空間を隔てて透明電極同士が対面するように配置されている。このタッチパネルにおいて、上基板の上部を入力ペンまたは指で押圧したとき、上基板が撓んでその押圧点において上基板の透明電極が下基板の透明電極と接触する。そして、その接触点の座標が電気抵抗の測定によって検知されて、入力情報が読取られる。
【０００３】
このようなタッチパネルが、液晶表示板と組み合わされて使用され、カーナビゲーショなど屋外で使用する装置に使用する場合に、外光の乱反射により液晶表示板の表示内容の視認性が低下するのを防止するために上基板の表面に防眩性を有するフィルム状の偏光板を配置したタッチパネルが開示されている（例えば、特許文献１参照。）。また、上基板や偏光板を保護する方法として、その表面のハードコート処理が行われる場合がある。これらのハードコート材料として、ポリエステルアクリレート、ウレタンアクリレート、エポキシアクリレート等の紫外線硬化性アクリル系ハードコート材が採用されている。また、更に耐摩耗性等の特性を向上させた傷つき防止のためのハードコート材として液状硬化性樹脂組成物が開示されている。（例えば、特許文献２参照。）。
【０００４】
【特許文献１】
特開平１０−４８６２５号公報（第２、３頁、第２図）
【特許文献２】
特開平１０−２７３５９５号公報（第１１頁）
【０００５】
【発明が解決しようとする課題】
しかしながら、使用者がタッチパネルの表面を直接指で押してデータの入力をした場合、従来のハードコート材は傷つき防止性能を有するが表面に指紋等の油脂や水分が付着し入力画面が汚染され、これによって画面の視認性が低下し操作性が悪くなるという問題があった。
【０００６】
（発明の目的）
本発明の目的は、上述の問題点を解決し、入力用の上基板の表面に指紋等の油脂や、水分が付着し、入力画面が汚染されることを防止し、画面の視認性、操作性に優れたタッチパネルを提供することにある。
【０００７】
【課題を解決するための手段】
前述した目的を達成するために本発明のタッチパネルは、透明絶縁基板の片面に透明電極を設けた一対の上下基板を前記透明電極側を内側にしてシール剤を介して対向配置してなるタッチパネルにおいて、上基板の外側に弗素樹脂からなる保護被膜を配置したことを特徴とする。
また、上基板と保護被膜との間に偏光板が配置されていることを特徴とする。
【０００８】
【発明の実施の形態】
図１は本発明の実施形態におけるタッチパネルを示す断面図である。図１に示すように、本実施形態におけるタッチパネル１０は、形状が長方形をなす下基板１と可撓性を有する上基板１１とを備えている。下基板１には板厚が１．１ｍｍの透明なガラスからなる透明絶縁基板１ａと、この透明絶縁基板１ａの上面に形成されている透明電極１ｂとが設けられている。又、透明電極１ｂ上には、ドットスペーサ６がマトリックス状に配置されている。
【０００９】
更に、下基板１上にシール剤８を介して上基板１１が装着されており、この上基板１１には、板厚が０．２ｍｍの透明なマイクロガラスからなる透明絶縁基板１１ａと、この透明絶縁基板１１ａの下面に透明電極１ｂに対向する透明電極１１ｂとが設けられている。透明電極１ｂ、１１ｂは、ＩＴＯ（インジウム・錫の酸化物）の薄膜を真空蒸着法、スパッタリング法等を利用して、透明絶縁基板１ａ、１１ａ面上に形成することによって得られたものである。
【００１０】
また、シール剤８は、エポキシ樹脂接着剤やアクリル樹脂接着剤等が選択され、スクリーン印刷等の方法で、１〜２．５ｍｍの範囲の幅で形成される。このシール剤８には、所要の大きさのプラスチックボールやファイバーガラス等のスペーサ部材が分散されており、このスペーサ部材でもって下基板１１と上基板１を所要の間隔に保持する役目を成している。更に、上基板１１には、反射防止及び飛散防止機能を兼ね備えた偏光板１８が貼付けされており、また、それによる光透過率の減衰と画像視認性の改善を図るため、下基板１には、位相差板１９が貼付けされている。
【００１１】
偏光板１８としては、様々なものが使用されているが一例をあげると、ポリビニールアルコールフィルムを常法により一軸延伸することによって厚さが２０μｍの偏光フィルムを作成し、この両面に厚さが８０μｍのセルロース系フィルムを張り合わせて厚さ１８０μｍの偏光板としたものがある。位相差板１９は、ポリカーボネイトを素材として形成され、厚さは８０μｍ程度である。更に、偏光板１８の上面には弗素樹脂からなる保護被膜２１が配置されている。
【００１２】
この弗素樹脂からなる保護被膜２１の厚みは、防汚性能の点から０．３〜０．０７μｍが好ましく本実施形態においては０．５μｍとした。また、保護被膜２１とする弗素樹脂の市販品として、「サイトップ（旭硝子株式会社製）」を使用した。この保護被膜２１を形成する方法としては、基材を回転させ、その上にコート剤を滴下することにより、コート剤による被膜を均一に形成させるスピン塗装、または、基材をコート剤溶液中に浸漬させ、一定の速度で引き上げることにより被膜を形成させる浸漬塗装等があるが、本実施形態においてはスピン塗装で塗布した。塗布後は、室温条件下で一昼夜放置し乾燥させた。
【００１３】
以上のように本実施形態におけるタッチパネルは、上基板の上面に設ける偏光板の表面に弗素樹脂からなる保護被膜２１が配置されている。この保護被膜２１は表面エネルギーが小さく優れた撥水性を示し、水との接触角は１００〜１１５度である。このため、使用者がタッチパネルの上面を指で押した時、使用者の指紋等の油脂分、水分等の付着が少ない。また、仮に指紋がついても、保護被膜２１が非粘着性を有するため布や紙等で拭くことにより簡単に取り除くことができる。したがって、画面を常にクリアな状態に保持することができ視認性が向上する。また、保護被膜２１は動摩擦係数も小さく、入力ペンを使用する場合にはペン先の滑りが良く書き味も優れている。したがって、書き味に優れると共に視認性に優れたタッチパネルを得ることができる。
【００１４】
尚、本実施形態においては、上基板に偏光板を設け、その上に弗素樹脂からなる保護被膜を配置した例で説明したが、透明絶縁基板上に直接保護被膜を配置しても同様の効果を有する。
【００１５】
また、保護被膜としては、フィルム状に形成されている「防汚型フィルム」（住友化学株式会社製）を偏光板上に貼着しても良い。この場合も同様の効果がある上、組み立て工程も簡単になり低価格化することができる。
【００１６】
また、透明絶縁基板１１ａの材料として薄い透明ガラス板を使用する例で説明したが、これに限定されるものではなく、アクリル系樹脂、ポリカーボネート系樹脂、環状ポリオレフィン系樹脂、ポリエーテルサルフォン、ポリアリレート等の種々の樹脂から樹脂基板を使用することができる。
【００１７】
【発明の効果】
以上説明したように本発明によれば偏光板の表面に弗素樹脂からなる保護被膜を配置することによって入力用基板の表面に指紋等の油脂や、水分が付着し、入力画面が汚染されることを防止し、画面の視認性、操作性に優れたタッチパネルを得ることができる。
【図面の簡単な説明】
【図１】本発明の実施形態におけるタッチパネルを示す断面図である。
【符号の説明】
１  下基板
１ａ  下基板の透明絶縁基板
１ｂ  下基板の透明電極
６  ドットスペーサ
８  シール剤
１０  タッチパネル
１１  上基板
１１ａ  上基板の透明絶縁基板
１１ｂ  上基板の透明電極
１８  偏光板
１９  位相差板
２１  保護被膜
【図１】
2005018115.tif 000003